(57)【要約】【課題】記録した映像情報の中から特定の場面が含まれる映像情報を高速に検索して表示することができる映像検索装置を提供すること。【解決手段】予め決められた地点を撮像して映像情報を生成する少なくとも１つのカメラ１１０と、生成された映像情報を解析する映像解析手段１５０と、解析された結果に基づいて映像情報を互いに異なるグループに分類する映像分類手段１６１と、分類された分類映像情報をグループ毎に記録する記録手段１６２と、分類映像情報を検索するためのキーワード情報を入力させるキーワード情報入力手段１７０と、入力されたキーワード情報に応じた分類映像情報を記録手段１６２によって記録された分類映像情報の中から検索する検索手段１６３と、検索された分類映像情報を再生する再生手段１７１と、再生された分類映像情報を画面に表示させる表示手段１７２とを備えるように構成する。【選択図】　図１
2004145564.tif 000002
【特許請求の範囲】
【請求項１】
予め決められた地点を撮像して映像情報を生成する少なくとも１つのカメラと、前記カメラによって生成された前記映像情報を解析する映像解析手段と、前記映像解析手段によって解析された結果に基づいて前記映像情報を互いに異なるグループに分類する映像分類手段と、前記映像分類手段によって分類された分類映像情報を前記グループ毎に記録する記録手段と、前記分類映像情報を検索するためのキーワード情報を入力させるキーワード情報入力手段と、前記キーワード情報入力手段を介して入力された前記キーワード情報に応じた分類映像情報を前記記録手段によって記録された前記分類映像情報の中から検索する検索手段と、前記検索手段によって検索された分類映像情報を再生する再生手段と、前記再生手段によって再生された分類映像情報を画面に表示させる表示手段とを備えたことを特徴とする映像検索装置。
【請求項２】
予め決められた地点を撮像して映像情報を生成する少なくとも１つのカメラと、前記カメラによって生成された前記映像情報を多重化する多重化手段と、前記多重化手段によって多重化された多重映像情報を送信する送信手段と、前記送信手段によって送信された多重映像情報を受信する受信手段と、前記受信手段によって受信された多重映像情報を前記映像情報に分割する分割手段と、前記分割手段によって分割され得られた前記映像情報を解析する映像解析手段と、前記映像解析手段によって解析された結果に基づいて前記映像情報を互いに異なるグループに分類する映像分類手段と、前記映像分類手段によって分類された分類映像情報を前記グループ毎に記録する記録手段と、前記分類映像情報を検索するためのキーワード情報を入力させるキーワード情報入力手段と、前記キーワード情報入力手段を介して入力された前記キーワード情報に応じた分類映像情報を前記記録手段によって記録された前記分類映像情報の中から検索する検索手段と、前記検索手段によって検索された分類映像情報を再生する再生手段と、前記再生手段によって再生された分類映像情報を画面に表示させる表示手段とを備えたことを特徴とする映像検索装置。
【請求項３】
予め決められた地点を撮像して映像情報を生成する複数のカメラと、前記複数のカメラによってそれぞれ生成された前記映像情報を解析する複数の映像解析手段と、前記複数の映像解析手段によってそれぞれ解析されて得られた解析結果情報を多重化する多重化手段と、前記多重化手段によって多重化された多重映像情報を送信する送信手段と、前記送信手段によって送信された多重映像情報を受信する受信手段と、前記受信手段によって受信された多重映像情報を前記解析結果情報に分割する分割手段と、前記分割手段によって分割され得られた前記解析結果情報に基づいて前記映像情報を互いに異なるグループに分類する映像分類手段と、前記映像分類手段によって分類された分類映像情報を前記グループ毎に記録する記録手段と、前記分類映像情報を検索するためのキーワード情報を入力させるキーワード情報入力手段と、前記キーワード情報入力手段を介して入力された前記キーワード情報に応じた分類映像情報を前記記録手段によって記録された前記分類映像情報の中から検索する検索手段と、前記検索手段によって検索された分類映像情報を再生する再生手段と、前記再生手段によって再生された分類映像情報を画面に表示させる表示手段とを備えたことを特徴とする映像検索装置。
【請求項４】
前記記録手段は、前記映像分類手段によって複数のグループに分類された分類映像情報を木構造で１つのグループと他のグループとを関連付けて管理するデータベースを有することを特徴とする請求項１乃至請求項３の何れかに記載の映像検索装置。
【請求項５】
前記映像解析手段は、前記カメラによって生成された前記映像情報が静止映像であることを検出する静止映像検出手段を有し、前記映像分類手段は、前記静止映像検出手段によって検出された前記静止映像を構成する静止映像グループおよび前記静止映像以外からなる動き映像を構成する動き映像グループに分類し、前記記録手段のデータベースは、前記映像分類手段によって分類された分類映像情報を前記静止映像グループと前記動き映像グループとに分けて管理することを特徴とする請求項４に記載の映像検索装置。
【請求項６】
前記映像解析手段は、前記カメラによって生成された前記映像情報が人の像であることを検出してさらに前記人の像を構成する顔の像を検出する顔検出手段を有し、前記映像分類手段は、前記顔検出手段によって検出された前記人の像を構成する人グループおよび前記顔の像を構成する顔グループに分類し、前記記録手段のデータベースは、前記映像分類手段によって分類された分類映像情報を前記動き映像グループと前記人グループと前記顔グループとに関連付けて管理することを特徴とする請求項５に記載の映像検索装置。
【請求項７】
前記映像検索装置は、防犯装置から通知される警報情報および前記防犯装置がカードパスを検出したときのカードパス情報を含む通知情報を入力する通知情報入力手段を備え、前記映像分類手段は、前記通知情報が前記通知情報入力手段を介して入力されたとき前記通知情報に応じて前記映像情報を通知グループ、警報グループ、およびカードパスグループに分類し、前記記録手段のデータベースは、前記映像分類手段によって分類された分類映像情報を前記通知グループと前記警報グループと前記カードパスグループとに関連付けて管理することを特徴とする請求項４乃至請求項６の何れかに記載の映像検索装置。
【請求項８】
前記映像検索装置は、警告情報を通報する通報手段を備え、前記映像分類手段は、前記顔グループに分類された分類映像情報が所定の顔の像か否かを認証する顔認証手段を有し、前記顔認証手段によって所定の顔の像が検出されたとき、前記通報手段は、前記警告情報を通報することを特徴とする請求項６に記載の映像検索装置。
【請求項９】
前記映像検索装置は、映像の早送り、巻き戻し、再生、停止、及び一時停止のうち少なくとも１つを含む再生の制御に関する再生制御情報を入力させる再生制御情報入力手段を備え、前記再生手段は、入力された前記再生制御情報に応じて前記分類映像情報の表示の早送り、巻き戻し、再生、停止、及び一時停止のうち少なくとも１つを含む再生の制御を行い、前記表示手段は、前記再生手段によって前記再生の制御がなされた前記分類映像情報を画面に表示させることを特徴とする請求項１乃至請求項８の何れかに記載の映像検索装置。
【請求項１０】
前記表示手段は、前記分類映像の表示の早送り、巻き戻し、再生、停止、及び一時停止のうち少なくとも１つを含む再生の制御に関する再生制御情報を入力させるように表示させ、前記再生制御情報入力手段は、前記再生の制御に関する再生制御情報を入力させることを特徴とする請求項９に記載の映像検索装置。
【請求項１１】
前記映像検索装置は、端末とネットワークを介して接続されるウェブサーバを備え、前記キーワード情報入力手段は、前記端末から前記ウェブサーバを介して前記キーワード情報を入力させ、前記ウェブサーバは、前記検索手段によって検索された前記分類映像情報を前記ネットワーク介して前記端末に再生させることを特徴とする請求項１乃至請求項８の何れかに記載の映像検索装置。
【請求項１２】
前記ウェブサーバは、前記複数のグループのうち少なくとも１つのグループを表す情報を入力させるようにブラウザを前記端末に表示させて、前記キーワード情報入力手段は、前記ウェブサーバを介して前記グループを表す情報に基づいて前記キーワード情報を入力させることを特徴とする請求項１１に記載の映像検索装置。
【請求項１３】
前記記録手段は、前記映像分類手段によって分類された分類映像情報のうち所定の分類映像情報のみを記録することを特徴とする請求項１乃至請求項１２の何れかに記載の映像検索装置。
【発明の詳細な説明】
【０００１】
【発明の属する技術分野】
本発明は、カメラで撮像して得られた映像情報を記録し、記録された映像を検索して表示する映像検索装置に関する。
【０００２】
【従来の技術】
従来の映像検索装置は、監視カメラで撮像し出力された映像情報をネットワーク経由で受信する受信部、受信された映像情報をハードディスクに記録する記録部、記録された映像情報を編集する編集部、及び編集された映像情報を表示する表示部を備えていた（例えば、特許文献１参照。）。
また、監視カメラで撮像した映像を記録するための撮像録画装置と、撮像録画装置から送信された映像データをネットワーク経由で受信して監視する監視装置と、監視装置に接続され映像を表示するモニタ装置とを備え、監視装置は撮像録画装置から送信された映像データを記録しながら映像をモニタ装置へ表示し、映像の検証が必要なときには、所望の映像データを撮像録画装置からネットワーク経由で読み出し、モニタ装置へ映像を表示するものもある（例えば、特許文献２参照。）。
【０００３】
【特許文献１】
特開平１１−０８６５１７号公報（１５段落目〜３７段落目、図１）
【特許文献２】
特開平１１−２８４９８７号公報（２０段落目、図１）
【０００４】
【発明が解決しようとする課題】
しかしながら、このような従来の映像検索装置では、監視カメラを用いて様々な地点から絶え間なく撮像する必要があり、監視カメラから得られた膨大な量の映像情報を記録しているため、記録した映像情報の中から異常事態発生時など特定の場面が含まれる映像情報を多大な時間を費やして検索しているという問題があった。
本発明は、このような従来の問題を解決するためになされたもので、記録した映像情報の中から特定の場面が含まれる映像情報を高速に検索して表示することができる映像検索装置を提供するものである。
【０００５】
【課題を解決するための手段】
本発明の映像検索装置は、予め決められた地点を撮像して映像情報を生成する少なくとも１つのカメラと、前記カメラによって生成された前記映像情報を解析する映像解析手段と、前記映像解析手段によって解析された結果に基づいて前記映像情報を互いに異なるグループに分類する映像分類手段と、前記映像分類手段によって分類された分類映像情報を前記グループ毎に記録する記録手段と、前記分類映像情報を検索するためのキーワード情報を入力させるキーワード情報入力手段と、前記キーワード情報入力手段を介して入力された前記キーワード情報に応じた分類映像情報を前記記録手段によって記録された前記分類映像情報の中から検索する検索手段と、前記検索手段によって検索された分類映像情報を再生する再生手段と、前記再生手段によって再生された分類映像情報を画面に表示させる表示手段とを備えた構成を有している。
この構成により、解析した映像情報を互いに異なるグループに分類し、分類された分類映像情報をグループ毎に記録するため、記録した映像情報の中から特定の場面が含まれる映像情報を高速に検索して表示することができる。
【０００６】
また、本発明の映像検索装置は、予め決められた地点を撮像して映像情報を生成する少なくとも１つのカメラと、前記カメラによって生成された前記映像情報を多重化する多重化手段と、前記多重化手段によって多重化された多重映像情報を送信する送信手段と、前記送信手段によって送信された多重映像情報を受信する受信手段と、前記受信手段によって受信された多重映像情報を前記映像情報に分割する分割手段と、前記分割手段によって分割され得られた前記映像情報を解析する映像解析手段と、前記映像解析手段によって解析された結果に基づいて前記映像情報を互いに異なるグループに分類する映像分類手段と、前記映像分類手段によって分類された分類映像情報を前記グループ毎に記録する記録手段と、前記分類映像情報を検索するためのキーワード情報を入力させるキーワード情報入力手段と、前記キーワード情報入力手段を介して入力された前記キーワード情報に応じた分類映像情報を前記記録手段によって記録された前記分類映像情報の中から検索する検索手段と、前記検索手段によって検索された分類映像情報を再生する再生手段と、前記再生手段によって再生された分類映像情報を画面に表示させる表示手段とを備えた構成を有している。
この構成により、カメラから撮像して得られた映像情報を多重化し、多重化された映像情報を記録手段側に送信するため、遠隔地で映像情報を検索することができる。
【０００７】
また、本発明の映像検索装置は、予め決められた地点を撮像して映像情報を生成する複数のカメラと、前記複数のカメラによってそれぞれ生成された前記映像情報を解析する複数の映像解析手段と、前記複数の映像解析手段によってそれぞれ解析されて得られた解析結果情報を多重化する多重化手段と、前記多重化手段によって多重化された多重映像情報を送信する送信手段と、前記送信手段によって送信された多重映像情報を受信する受信手段と、前記受信手段によって受信された多重映像情報を前記解析結果情報に分割する分割手段と、前記分割手段によって分割され得られた前記解析結果情報に基づいて前記映像情報を互いに異なるグループに分類する映像分類手段と、前記映像分類手段によって分類された分類映像情報を前記グループ毎に記録する記録手段と、前記分類映像情報を検索するためのキーワード情報を入力させるキーワード情報入力手段と、前記キーワード情報入力手段を介して入力された前記キーワード情報に応じた分類映像情報を前記記録手段によって記録された前記分類映像情報の中から検索する検索手段と、前記検索手段によって検索された分類映像情報を再生する再生手段と、前記再生手段によって再生された分類映像情報を画面に表示させる表示手段とを備えた構成を有している。
この構成により、複数のカメラから撮像して得られた映像情報を映像解析手段がそれぞれ解析するため、映像情報を解析処理するための負荷分散を行うことができる。
【０００８】
また、本発明の映像検索装置の前記映像分類手段によって複数のグループに分類された分類映像情報を木構造で１つのグループと他のグループとを関連付けて管理するデータベースを有している。
この構成により、分類映像情報を木構造で管理するため、特定の場面が含まれる映像情報をさらに高速に検索し、表示することができる。
【０００９】
また、本発明の映像検索装置の前記映像解析手段は、前記カメラによって生成された前記映像情報が静止映像であることを検出する静止映像検出手段を有し、前記映像分類手段は、前記静止映像検出手段によって検出された前記静止映像を構成する静止映像グループおよび前記静止映像以外からなる動き映像を構成する動き映像グループに分類し、前記記録手段のデータベースは、前記映像分類手段によって分類された分類映像情報を前記静止映像グループと前記動き映像グループとに分けて管理する構成を有している。
この構成により、分類映像情報を静止映像グループと動き映像グループに分類して記録手段のデータベースに管理するため、映像情報を効率的に管理することができる。
【００１０】
また、本発明の映像検索装置の映像解析手段は、前記カメラによって生成された前記映像情報が人の像であることを検出してさらに前記人の像を構成する顔の像を検出する顔検出手段を有し、前記映像分類手段は、前記顔検出手段によって検出された前記人の像を構成する人グループおよび前記顔の像を構成する顔グループに分類し、前記記録手段のデータベースは、前記映像分類手段によって分類された分類映像情報を前記動き映像グループと前記人グループと前記顔グループとに関連付けて管理する構成を有している。
この構成により、分類映像情報を動き映像グループ、人グループ、および顔グループに関連付けて管理するため、映像情報をより効率的に管理することができる。
【００１１】
また、本発明の映像検索装置は、防犯装置から通知される警報情報および前記防犯装置がカードパスを検出したときのカードパス情報を含む通知情報を入力する通知情報入力手段を備え、前記映像分類手段は、前記通知情報が前記通知情報入力手段を介して入力されたとき前記通知情報に応じて前記映像情報を通知グループ、警報グループ、およびカードパスグループに分類し、前記記録手段のデータベースは、前記映像分類手段によって分類された分類映像情報を前記通知グループと前記警報グループと前記カードパスグループとに関連付けて管理する構成を有している。
この構成により、防犯装置から通知される警報情報および前記カードパス情報を含む通知情報にに応じて分類映像情報を通知グループ、警報グループ、およびカードパスグループに関連付けて管理するため、緊急度の高い映像情報を効率的に管理することができる。
【００１２】
また、本発明の映像検索装置は、警告情報を通報する通報手段を備え、前記映像分類手段は、前記顔グループに分類された分類映像情報が所定の顔の像か否かを認証する顔認証手段を有し、前記顔認証手段によって所定の顔の像が検出されたとき、前記通報手段は、前記警告情報を通報する構成を有している。
この構成により、分類映像情報に基づいて所定の顔の像か否かを認証して通報するため、特定の被疑者を検出し、通報することができる。
【００１３】
また、本発明の映像検索装置は、映像の早送り、巻き戻し、再生、停止、及び一時停止のうち少なくとも１つを含む再生の制御に関する再生制御情報を入力させる再生制御情報入力手段を備え、前記再生手段は、入力された前記再生制御情報に応じて前記分類映像情報の表示の早送り、巻き戻し、再生、停止、及び一時停止のうち少なくとも１つを含む再生の制御を行い、前記表示手段は、前記再生手段によって前記再生の制御がなされた前記分類映像情報を画面に表示させる構成を有している。
この構成により、再生制御情報に応じて分類映像情報の表示の早送り、巻き戻し、再生、停止、及び一時停止のうち少なくとも１つを含む再生の制御を行うため、操作の利便性を向上することができる。
【００１４】
また、本発明の映像検索装置の前記表示手段は、前記分類映像の表示の早送り、巻き戻し、再生、停止、及び一時停止のうち少なくとも１つを含む再生の制御に関する再生制御情報を入力させるように表示させ、前記再生制御情報入力手段は、前記再生の制御に関する再生制御情報を入力させる構成を有している。
この構成により、分類映像を表示すると共に、分類映像の表示の早送り、巻き戻し、再生、停止、及び一時停止のうち少なくとも１つを含む再生の制御に関する再生制御情報を入力させるように表示させるため、操作の利便性をより向上することができる。
【００１５】
また、本発明の映像検索装置は、端末とネットワークを介して接続されるウェブサーバを備え、前記キーワード情報入力手段は、前記端末から前記ウェブサーバを介して前記キーワード情報を入力させ、前記ウェブサーバは、前記検索手段によって検索された前記分類映像情報を前記ネットワーク介して前記端末に再生させる構成を有している。
この構成により、ネットワークを介してキーワード情報の入力と分類映像情報の再生を行うため、様々な場所から特定の場面が含まれる映像情報を高速に検索して表示することができる。
【００１６】
また、本発明の映像検索装置の前記ウェブサーバは、前記複数のグループのうち少なくとも１つのグループを表す情報を入力させるようにブラウザを前記端末に表示させて、前記キーワード情報入力手段は、前記ウェブサーバを介して前記グループを表す情報に基づいて前記キーワード情報を入力させる構成を有している。
この構成により、複数のグループのうち少なくとも１つのグループを表す情報を入力させるようにブラウザを端末に表示してキーワード情報を入力するため、端末の操作の利便性を向上することができる。
【００１７】
また、本発明の映像検索装置の前記記録手段は、前記映像分類手段によって分類された分類映像情報のうち所定の分類映像情報のみを記録する構成を有している。
この構成により、所定の分類映像情報以外を記録しないため、ハードディスクなどの記憶容量を削減することができる。
【００１８】
【発明の実施の形態】
以下、本発明の実施の形態について、図面を参照して説明する。
（第１の実施の形態）
図１は、本発明の第１の実施の形態に係る映像検索装置のブロック構成図である。本発明の第１の実施の形態に係る映像検索装置１００は、映像情報を送信する映像送信器１０１および映像送信器１０１によって送信された映像情報を受信する映像受信器１０２を含むように構成される。
【００１９】
映像送信器１０１は、予め決められた地点を撮像して映像情報を生成するカメラ１１０、カメラ１１０によって生成された映像情報を符号化する符号化手段１２０、および符号化手段１２０によって符号化された映像情報を形式変換して映像受信器１０２に送信するトランスコーダ１３０を含むように構成される。
【００２０】
映像受信器１０２は、映像送信器１０１によって送信された映像情報を受信するデータサーバ１４０、映像情報を解析する映像解析手段１５０、映像解析手段１５０によって解析された映像情報を分類し、分類された分類映像情報を記録する分類データベース１６０、分類映像情報を検索するためのキーワード情報を入力させるキーワード情報入力手段１７０、キーワード情報に応じた分類映像情報を再生する再生手段１７１、再生手段１７１によって再生された分類映像情報を画面に表示させる表示手段１７２、再生の制御に関する再生制御情報を入力させる再生制御情報入力手段１７３、防犯装置１０から通知される警報情報および防犯装置１０がカードパスを検出したときのカードパス情報を含む通知情報を入力する通知情報入力手段１７４、所定の顔の像を検出したとき通報する通報手段１８０、および端末２０とネットワーク３０介して接続されるウェブサーバ１９０を含むように構成される。なお、映像受信器１０２は、監視センタなどに設置される。
【００２１】
カメラ１１０は、予め決められた地点を撮像して映像情報を生成し、生成された映像情報を符号化手段１２０に出力するようになっている。なお、図１では、映像検索装置１００は、１から５０台までのカメラ１１０を有するが、本発明によればカメラ１１０の台数は１つ以上設置するようになっている。
【００２２】
符号化手段１２０には、カメラ１１０によって出力された映像情報が入力され、符号化手段１２０は、入力された映像情報を符号化し、符号化された映像情報をトランスコーダ１３０に出力するようになっている。また、符号化手段１２０は、カメラ１１０と１対に対応するように接続される。映像情報を符号化する方法に関しては、ＪＰＥＧ（Ｊｏｉｎｔ　Ｐｈｏｔｏｇｒａｐｈｉｃ　Ｅｘｐｅｒｔ　Ｇｒｏｕｐ）規格、ＭＰＥＧ（Ｍｏｖｉｎｇ　Ｐｉｃｔｕｒｅ　Ｃｏｄｉｎｇ　Ｅｘｐｅｒｔｓ　Ｇｒｏｕｐ）規格、または国際電気通信連合によって標準化されたＨ．２６１規格などの公知の技術を用いる。
【００２３】
トランスコーダ１３０は、符号化手段１２０によって符号化された映像情報を多重化する多重化手段１３１および多重化手段１３１によって多重化された多重映像情報を送信する送信手段１３２を含むように構成される。
【００２４】
多重化手段１３１には、符号化手段１２０によって出力された映像情報が入力され、多重化手段１３１は、入力された映像情報をを多重化し、多重化された多重映像情報を送信手段１３２に出力するようになっている。
【００２５】
送信手段１３２には、多重化手段１３１によって出力された多重映像情報が入力され、送信手段１３２は、入力された多重映像情報を映像受信器１０２に送信するようになっている。
【００２６】
データサーバ１４０は、映像送信器１０１によって送信された多重映像情報を受信する受信手段１４１および受信手段１４１によって受信された多重映像情報を映像情報に分割する分割手段１４２を含むように構成される。なお、本発明によれば、映像送信器１０１とデータサーバ１４０との通信方法に関しては、ＩＥＥＥ（Ｉｎｓｔｉｔｕｔｅ　ｏｆ　Ｅｌｅｃｔｒｉｃａｌ　ａｎｄ　Ｅｌｅｃｔｒｏｎｉｃ　Ｅｎｇｉｎｅｅｒｓ）１３９４規格などの公知の技術を用いる。
【００２７】
受信手段１４１は、映像送信器１０１によって送信された多重映像情報を受信し、受信された多重映像情報を分割手段１４２に出力するようになっている。
【００２８】
分割手段１４２には、受信手段１４１によって出力された多重映像情報が入力され、分割手段１４２は、入力された多重映像情報を映像情報に分割し、分割された映像情報を出力するようになっている。
【００２９】
本発明によれば、図２に示すように、符号化手段１２０によって符号化された一定時間区間Ｔ０のフレームＴ００１からフレームＴ０５０は、１番目のカメラ１１０から５０番目のカメラ１１０によって生成された映像情報をそれぞれ構成するものである。同様に、符号化手段１２０によって符号化された一定時間区間Ｔ１のフレームＴ１０１からフレームＴ１５０は、１番目のカメラ１１０から５０番目のカメラ１１０によって生成された映像情報をそれぞれ構成するものである。
【００３０】
例えば、分割手段１４２は、フレームＴ００１からフレームＴ０５０、フレームＴ１０１からフレームＴ１５０、および他の一定時間区間のフレームによって構成される多重映像情報Ｄ１を複数のフレームに分割し、分割された複数のフレームを映像解析手段１５０に出力するようになっている。
【００３１】
なお、本発明によれば、データサーバ１４０によって受信される多重映像情報の情報量が、データサーバ１４０が映像解析手段１５０に出力する映像情報の情報量よりも多いとき、データサーバ１４０は、多重映像情報または映像情報を一時的に蓄積するようにしてもよい。
【００３２】
図２は、映像解析手段１５０のブロック構成図である。図２に示すように、映像解析手段１５０は、映像情報を復号化する復号化手段１５１、映像情報から静止映像を検出する静止映像検出手段１５２、映像情報から顔の像を検出する顔検出手段１５３、および映像情報を符号化する再符号化手段１５４を含むように構成される。また、映像解析手段１５０には、データサーバ１４０によって出力された映像情報を解析し、解析されて得られた解析結果情報を分類データベース１６０に出力するようになっている。なお、本発明によれば、データサーバ１４０と映像解析手段１５０との通信方法に関しては、ＩＥＥＥ１３９４規格などの公知の技術を用いる。
【００３３】
復号化手段１５１には、データサーバ１４０によって出力された映像情報が入力され、復号化手段１５１は、入力された映像情報を復号化し、復号化された映像情報を静止映像検出手段１５２に出力するようになっている。
【００３４】
静止映像検出手段１５２には、復号化手段１５１によって出力された映像情報が入力され、静止映像検出手段１５２は、入力された映像情報が静止映像であることを検出した場合、静止映像を表すインデックスを映像情報に付加し、付加された付加映像情報を再符号化手段１５４に出力するようになっている。また、静止映像検出手段１５２は、入力された映像情報が静止映像であることを検出しない場合、静止映像以外からなる動き映像を表すインデックスを映像情報に付加し、付加された付加映像情報を再符号化手段１５４に出力するようになっている。
【００３５】
なお、本発明によれば、静止映像は、例えば一定時間間隔で得られた映像情報を構成するフレームに含まれる画素と次の時間間隔のフレームに含まれる画素とを比較して検出される。また、静止映像検出手段１５２は、入力された映像情報が静止映像であることを検出しない場合、映像情報を顔検出手段１５３に出力するようにしてもよい。静止映像検出手段１５２は、予め決められた映像、例えば、黒い帽子、赤いパンツ、緑のコートを着た特定の被疑者を写す映像であることを検出するようにしてもよい。
【００３６】
顔検出手段１５３には、静止映像検出手段１５２によって出力された映像情報が入力され、顔検出手段１５３は、入力された映像情報が人の像、車両の像、またはその他の像であることを検出した場合、人の像、車両の像、またはその他の像を表すインデックスを映像情報に付加し、付加された付加映像情報を再符号化手段１５４に出力するようになっている。また、顔検出手段１５３は、入力された映像情報が人の像であることを検出した場合、さらに人の像を構成する顔の像を検出し、検出された顔の像を表すインデックスを映像情報に付加し、付加された付加映像情報を再符号化手段１５４に出力するようになっている。なお、本発明によれば、顔検出手段１５３は、入力された映像情報に含まれる被写体の像の移動速度を測定して、所定の範囲内の移動速度であったとき、移動速度の情報を表すインデックスを映像情報に付加し、付加された付加映像情報を再符号化手段１５４に出力するようにしてもよい。
【００３７】
再符号化手段１５４は、静止映像検出手段１５２および顔検出手段１５３によって出力された付加映像情報を符号化し、符号化された付加映像情報を分類データベース１６０に出力するようになっている。
【００３８】
分類データベース１６０は、映像情報を互いに異なるグループに分類する映像分類手段１６１、映像分類手段１６１によって分類された分類映像情報をグループ毎に記録する記録手段１６２、記録手段１６２によって記録された分類映像情報の中から検索する検索手段１６３を含むように構成される。
分類データベース１６０には、映像解析手段１５０によって解析されて得られた解析結果情報を構成する付加映像情報が入力され、分類データベース１６０は、入力された付加映像情報に基づいて映像情報を分類し、分類された分類映像情報を記録するようになっている。なお、本発明によれば、映像解析手段１５０と分類データベース１６０との通信方法に関しては、ＩＥＥＥ１３９４規格などの公知の技術を用いる。
【００３９】
映像分類手段１６１には、映像解析手段１５０によって解析されて得られた解析結果情報を構成する付加映像情報が入力され、映像分類手段１６１は、入力された付加映像情報に基づいて映像情報を互いに異なるグループに分類し、分類された分類映像情報を記録手段１６２に出力するようになっている。例えば、映像分類手段１６１は、入力された付加映像情報に基づいて静止映像を構成する静止映像グループおよび静止映像以外からなる動き映像を構成する動き映像グループに分類し、分類された動き映像グループをさらに人の像を構成する人グループおよび顔の像を構成する顔グループに分類し、分類された分類映像情報を記録手段１６２に出力するようになっている。
【００４０】
また、映像分類手段１６１は、通知情報入力手段１７４によって出力された通知情報が入力されたとき、映像分類手段１６１は、入力された通知情報に応じて映像情報を通知グループ、警報グループ、およびカードパスグループに分類し、分類された分類映像情報を記録手段１６２に出力するようになっている。なお、カードパスグループとは、映像分類手段１６１が通知情報を構成するカードパス情報を入力したときの映像情報を分類するためのグループである。
【００４１】
図３は、映像分類手段１６１のブロック構成図である。図３に示すように、映像分類手段１６１は、所定の顔の像か否かを認証する顔認証手段１６４によって構成される。映像分類手段１６１が顔の像を構成する顔グループに分類したとき、顔認証手段１６４は、顔グループに分類された分類映像情報が所定の顔の像を認証するようになっており、所定の顔の像が検出された場合、警告情報を通報手段１８０に出力するようになっている。なお、本発明によれば、所定の顔の像か否かを認証する方法に関しては、公知の顔認証技術を用いる。
【００４２】
記録手段１６２は、分類映像情報を記録するハードディスクなどの記憶媒体を有している。記録手段１６２には、映像分類手段１６１によって出力された分類映像情報が入力され、記録手段１６２は、入力された分類映像情報をグループ毎に記録するようになっている。また、記録手段１６２は、入力された分類映像情報のうち所定の分類映像情報のみをグループ毎に記録するようになっており、映像分類手段１６１によって複数のグループに分類された分類映像情報を木構造で１つのグループと他のグループとを関連付けて管理するデータベースを有している。
なお、本発明によれば、記録手段１６２が木構造で分類映像情報を管理する方法に関しては、ＸＭＬ（ｅＸｔｅｎｓｉｂｌｅ　Ｍａｒｋｕｐ　Ｌａｎｇｕａｇｅ）、ＭＰＥＧ−７ＤＤＬ（Ｍｏｖｉｎｇ　Ｐｉｃｔｕｒｅ　ｃｏｄｉｎｇ　Ｅｘｐｅｒｔｓ　Ｇｒｏｕｐ　７　Ｄｅｓｃｒｉｐｔｉｏｎ　Ｄｅｆｉｎｉｔｉｏｎ　Ｌａｎｇｕａｇｅ）規格などの公知の技術を用いる。また、所定の分類映像情報は、例えば、動き映像グループで管理される分類映像情報でもよい。
【００４３】
また、記録手段１６２のデータベースは、映像分類手段１６１によって分類された分類映像情報を静止映像グループと動き映像グループとに分けて管理し、さらに動き映像グループと人グループと顔グループとを関連付けて管理し、さらに通知グループと警報グループとカードパスグループとを関連付けて管理するようになっている。
【００４４】
図４は、データベースの内部の木構造の一例を示す図である。例えば、１番目のカメラ１１０は、ビルのメインゲートに設置され、Ｎ番目のカメラ１１０は、ビル裏口ドアであるバックドアに設置されており、図４に示すように、１番目のカメラ１１０のカメラグループ４０１の配下には、１番目のカメラ１１０によって生成された分類映像情報を管理し、同様に、Ｎ番目のカメラ１１０のカメラグループ４０２の配下には、Ｎ番目のカメラ１１０によって生成された分類映像情報を管理するようになっている。なお、Ｎは自然数である。さらに、カメラグループ４０２の配下には、日時と関連付けた日時グループ４１１があり、日時グループ４１１の配下に、例えば１月１日の分類映像情報を管理するようになっている。さらに、日時グループ４１１の配下には、時刻と関連付けた時刻グループ４２１、時刻グループ４２２、時刻グループ４２３があり、例えば、時刻グループ４２２の配下に２時から３時までの分類映像情報を管理するようになっている。
【００４５】
時刻グループ４２２の配下には、通知グループ４３１、動き映像グループ４３２、静止映像グループ４３３、低フレーム速度映像グループ４３４、高フレーム速度映像グループ４３５を有している。なお、低フレーム速度映像グループ４３４および高フレーム速度映像グループ４３５の配下には、所定のフレーム速度の分類映像情報を管理するようになっている。また、低フレーム速度映像グループ４３４および高フレーム速度映像グループ４３５は、時刻グループ４２２の配下になくてもよい。
さらに、通知グループ４３１の配下には、警報グループ４４１およびカードパスグループ４４２を有し、動き映像グループ４３２の配下には、人グループ４４３、車両グループ４４４、その他のグループ４４５を有しており、人グループ４４３の配下に高解像度映像グループ４５２、高解像度映像グループ４５２の配下に顔グループ４６１、顔グループ４６１の配下に関係者グループ４７１および非関係者グループ４７２を有しており、階層化して分類映像情報を管理するようになっている。なお、低解像度映像グループ４５１および高解像度映像グループ４５２は、所定の解像度をもつ分類映像情報を管理するが、人グループ４４３の配下になくてもよい。
例えば、本発明によれば、顔検出手段１５３が検出して、映像分類手段１６１が分類した分類映像情報は、日時、時刻と対応する顔グループ４６１の配下に管理されて、さらに分類映像情報が関係者の顔か否かを判別されたとき、映像分類手段１６１が分類した分類映像情報は、関係者グループ４７１または非関係者グループ４７２の配下に管理される。
【００４６】
検索手段１６３には、キーワード情報入力手段１７０によって出力されたキーワード情報が入力され、検索手段１６３は、入力されたキーワード情報に応じた分類映像情報を記録手段１６２によって記録された分類映像情報の中から検索し、検索された分類映像情報を再生手段１７１またはウェブサーバ１９０に出力するようになっている。例えば、キーワード情報が「Ｎ番目のカメラ、１月１日、２時から３時、警報」を含む情報を表していたとき、検索手段１６３は、記録手段１６２のデータベース内の警報グループ４４１に管理されている分類映像情報を再生手段１７１またはウェブサーバ１９０に出力するようになっている。
【００４７】
キーワード情報入力手段１７０は、外部の装置、例えば、キーボードなどからキーワード情報を入力させるようになっている。キーワード情報入力手段１７０には、分類映像情報を検索するためのキーワード情報が入力され、キーワード情報入力手段１７０は、入力されたキーワード情報を検索手段１６３に出力するようになっている。また、キーワード情報入力手段１７０には、ウェブサーバ１９０によって出力されたキーワード情報が入力され、キーワード情報入力手段１７０は、入力されたキーワード情報を検索手段１６３に出力するようになっている。
また、キーワード情報入力手段１７０には、ウェブサーバ１９０によって出力されたグループを表す情報が入力され、キーワード情報入力手段１７０は、入力されたグループを表す情報によって構成されるキーワード情報を検索手段１６３に出力するようになっている。
【００４８】
再生手段１７１には、検索手段１６３によって出力された分類映像情報が入力され、再生手段１７１は、入力された分類映像情報を復号化するなどして再生するようになっている。また、再生手段１７１には、再生制御情報入力手段１７３によって出力された再生制御情報が入力され、再生手段１７１は、入力された再生制御情報に応じて分類映像情報の表示の早送り、巻き戻し、再生、停止、及び一時停止のうち少なくとも１つを含む再生の制御を行うようになっている。
【００４９】
表示手段１７２は、モニタまたはディスプレイなどを含むように構成され、再生手段１７１によって再生された分類映像情報をモニタまたはディスプレイなどの画面に表示させると共に、分類映像の表示の早送り、巻き戻し、再生、停止、及び一時停止のうち少なくとも１つを含む再生の制御に関する再生制御情報を表示させ入力させるようになっている。表示手段１７２は、再生手段１７１によって早送り、巻き戻し、再生、停止、及び一時停止のうち少なくとも１つを含む再生の制御がなされた分類映像情報を画面に表示させるようになっている。なお、本発明によれば、再生の制御に関する再生制御情報を表示させ入力させる方法に関しては、タッチパネルなどの画面やウェブブラウザのウィンドから入力させるようにしてもよい。
【００５０】
再生制御情報入力手段１７３は、例えば、ボタンまたはタッチパネルなどの画面やウェブブラウザのウィンドを構成する表示手段１７２を介してから映像の早送り、巻き戻し、再生、停止、一時停止のうち少なくとも１つを含む再生の制御に関する再生制御情報を入力させるようになっている。再生制御情報入力手段１７３には、映像の早送り、巻き戻し、再生、停止、及び一時停止のうち少なくとも１つを含む再生の制御に関する再生制御情報が入力され、再生制御情報入力手段１７３は、入力された再生制御情報を再生手段１７１に出力するようになっている。
【００５１】
通知情報入力手段１７４には、防犯装置１０から通知される警報情報および防犯装置１０がカードパスを検出したときのカードパス情報を含む通知情報が入力され、通知情報入力手段１７４は、入力された通知情報を映像分類手段１６１に出力するようになっている。
【００５２】
通報手段１８０には、顔認証手段１６４によって出力された警告情報が入力され、通報手段１８０は、入力された警告情報を通報するようになっている。なお、本発明によれば、通報する方法に関しては、顔の像を検出した旨の情報を表示するディスプレイ、プリンタなどに出力して、アラームなどを鳴動させるようにしてもよい。
【００５３】
ウェブサーバ１９０は、複数のグループのうち少なくとも１つのグループを表す情報を入力させるブラウザを端末２０に表示させるようになっている。ウェブサーバ１９０には、端末２０を利用する利用者によってブラウザを介してグループを表す情報が入力され、ウェブサーバ１９０は、入力されたグループを表す情報をキーワード情報入力手段１７０に出力するようになっている。また、ウェブサーバ１９０には、検索手段１６３によって出力された分類映像情報が入力され、ウェブサーバ１９０は、入力された分類映像情報をネットワーク３０を介して端末２０に再生させるようになっている。
【００５４】
以下、本発明の第１の実施の形態に係る映像検索装置１００の動作について、図１を参照して説明する。
まず、カメラ１１０毎によって撮像され得られた映像情報は、符号化手段１２０によってそれぞれ符号化され、多重化手段１３１によって多重化される。多重映像情報は、多重化手段１３１によって送信手段１３２に出力され、送信手段１３２によって映像受信器１０２に送信される。
【００５５】
次に、映像送信器１０１によって送信された多重映像情報は、受信手段１４１によって受信され、分割手段１４２によって映像情報に分割され、分割された映像情報は、復号化手段１５１によって復号化される。復号化された映像情報は、静止映像検出手段１５２によって静止映像であることが検出された場合、静止映像を表すインデックスが付加され、付加された付加映像情報は、映像分類手段１６１に出力さる。静止映像検出手段１５２によって静止映像であることが検出されない場合、復号化された映像情報は、顔検出手段１５３に出力される。顔検出手段１５３に出力された映像情報は、人の像、車両の像、またはその他の像であることを検出した場合、人の像、車両の像、またはその他の像を表すインデックスが付加され、付加された付加映像情報は、再符号化手段１５４に出力される。顔検出手段１５３に出力された映像情報は、さらに、映像情報が人の像であることが検出された場合、顔の像を表すインデックスが付加され、付加された付加映像情報は、再符号化手段１５４に出力される。静止映像検出手段１５２および顔検出手段１５３によって出力された付加映像情報は、再符号化手段１５４によって符号化され、映像分類手段１６１に出力される。インデックスが付加された付加映像情報は、映像分類手段１６１によって互いに異なるグループに分類され、分類された分類映像情報は、記録手段１６２によって記録される。
【００５６】
一方、付加映像情報は、映像分類手段１６１によって顔の像を構成する顔グループに分類されたとき、所定の顔の像が顔認証手段１６４によって認証される。所定の顔の像が検出された場合、警告情報が通報手段１８０に出力され、通報手段１８０によって通報される。また、防犯装置１０から通知される通知情報は、通知情報入力手段１７４によって映像分類手段１６１に出力され、通知情報に応じて映像情報が映像分類手段１６１によって所定のグループに分類される。
【００５７】
キーワード情報は、キーワード情報入力手段１７０によって検索手段１６３に出力される。キーワード情報に応じた分類映像情報は、記録手段１６２のデータベース内の木構造４００で管理されている分類映像情報の中から検索手段１６３によって検索され、再生手段１７１に出力される。再生制御情報は、表示手段１７２などを介して入力され、再生制御情報入力手段１７３によって再生手段１７１に出力されたとき、再生手段１７１によって再生制御情報に応じて分類映像情報の表示の早送り、巻き戻し、再生、停止、及び一時停止のうち少なくとも１つを含む再生の制御が行われ、表示手段１７２によって画面に表示される。
【００５８】
また、キーワード情報は、端末２０を利用する利用者によってウェブサーバ１９０を介してブラウザから入力される。キーワード情報を入力させる方法は、利用者がブラウザに所定のホームページのＵＲＬを入力して、例えば、ブラウザの画面に表１に示す第１の選択項目「警報検出場面」、「動き映像場面」、「関係者検出場面」、「カメラ識別子」、「日時」、「時刻」を表示させ、利用者は第１の選択項目の中から１つの項目を選択したとき、ブラウザの画面に表１に示す第２の選択項目がキーワード情報入力手段１７０によってウェブサーバ１９０を介して表示される。例えば、利用者は第１の選択項目で「警報検出場面」を選択したとき、次に、第２の選択項目「カメラ識別子」、「日時」、「時刻」が表示される。
【表１】
2004145564.tif 000003
【００５９】
具体的には、第１の選択項目で「警報検出場面」を選択して、第２の選択項目で「カメラ識別子」をＮ番目のカメラ、「日時」を１月１日、「時刻」を２時から３時として選択したとき、キーワード情報は「Ｎ番目のカメラ、１月１日、２時から３時、警報」を含む情報を表し、キーワード情報入力手段１７０によって選択項目に応じて入力されて検索手段１６３に出力され、検索手段１６３によって記録手段１６２のデータベース内の警報グループ４４１に管理されている分類映像情報が検索される。検索された分類映像情報は、ウェブサーバ１９０を介して端末２０によって再生される。
【００６０】
以上説明したように、本発明の第１の実施の形態に係る映像検索装置は、解析した映像情報を互いに異なるグループに分類し、分類された分類映像情報をグループ毎に記録するため、記録した映像情報の中から特定の場面が含まれる映像情報を高速に検索して表示することができる。
また、カメラから撮像して得られた映像情報を多重化し、多重化された映像情報を記録手段側に送信するため、遠隔地で映像情報を検索することができる。
また、分類映像情報を木構造で管理するため、特定の場面が含まれる映像情報をさらに高速に検索し、表示することができる。
また、分類映像情報を静止映像グループと動き映像グループに分類して記録手段のデータベースに管理するため、映像情報を効率的に管理することができる。
また、防犯装置から通知される警報情報および防犯装置がカードパスを検出したときのカードパス情報を含む通知情報にに応じて分類映像情報を通知グループ、警報グループ、およびカードパスグループに関連付けて管理するため、緊急度の高い映像情報を効率的に管理することができる。
また、分類映像情報に基づいて所定の顔の像か否かを認証して通報するため、特定の被疑者を検出し、通報することができる。
また、再生制御情報に応じて分類映像情報の表示の早送り、巻き戻し、再生、停止、及び一時停止のうち少なくとも１つを含む再生の制御を行うため、操作の利便性を向上することができる。
また、分類映像を表示すると共に、分類映像の表示の早送り、巻き戻し、再生、停止、及び一時停止のうち少なくとも１つを含む再生の制御に関する再生制御情報を入力させるように表示させるため、操作の利便性をより向上することができる。
また、ネットワークを介してキーワード情報の入力と分類映像情報の再生を行うため、様々な場所から特定の場面が含まれる映像情報を高速に検索して表示することができる。
また、複数のグループのうち少なくとも１つのグループを表す情報を入力させるようにブラウザを端末に表示してキーワード情報を入力するため、端末の操作の利便性を向上することができる。
また、所定の分類映像情報以外を記録しないため、ハードディスクなどの記憶容量を削減することができる。
【００６１】
（第２の実施の形態）
図５は、本発明の第２の実施の形態に係る映像検索装置のブロック構成図である。本発明の第１の実施の形態に係る映像検索装置２００は、映像情報を送信する映像送信器２０１および映像送信器２０１によって送信された映像情報を受信する映像受信器２０２を含むように構成される。
【００６２】
映像送信器２０１は、予め決められた地点を撮像して映像情報を生成する複数のカメラ１１０、カメラ１１０によって生成された映像情報を解析する映像解析手段１５０、映像解析手段１５０によって解析されて得られた解析結果情報を符号化する符号化手段２２０、および符号化手段２２０によって符号化された映像情報を形式変換して映像受信器２０２に送信するトランスコーダ１３０を含むように構成される。なお、本発明の第２の実施の形態に係る映像送信器２０１を構成する手段のうち、本発明の第１の実施の形態に係る映像送信器１０１を構成する手段と同一の手段には同一の符号を付し、それぞれの説明を省略する。
【００６３】
映像受信器２０２は、映像送信器２０１によって送信された映像情報を受信するデータサーバ１４０、映像情報を分類し、分類された分類映像情報を記録する分類データベース１６０、分類映像情報を検索するためのキーワード情報を入力させるキーワード情報入力手段１７０、キーワード情報に応じた分類映像情報を再生する再生手段１７１、再生手段１７１によって再生された分類映像情報を画面に表示させる表示手段１７２、再生の制御に関する再生制御情報を入力させる再生制御情報入力手段１７３、防犯装置１０から通知される警報情報および防犯装置１０がカードパスを検出したときのカードパス情報を含む通知情報を入力する通知情報入力手段１７４、所定の顔の像を検出したとき通報する通報手段１８０、および端末２０とネットワーク３０介して接続されるウェブサーバ１９０を含むように構成される。なお、本発明の第２の実施の形態に係る映像受信器２０２を構成する手段のうち、本発明の第１の実施の形態に係る映像受信器１０２を構成する手段と同一の手段には同一の符号を付し、それぞれの説明を省略する。また、映像受信器２０２は、監視センタなどに設置される。
【００６４】
複数の映像解析手段１５０には、複数のカメラ１１０によってそれぞれ生成された映像情報が入力され、複数の映像解析手段１５０は、入力された映像情報をそれぞれ解析し、解析されて得られた解析結果情報を符号化手段２２０に出力するようになっている。映像解析手段１５０のブロック構成を示す図であり、映像解析手段１５０は、復号化手段１５１、静止映像検出手段１５２、顔検出手段１５３、および再符号化手段１５４を含むように構成される。本発明の第２の実施の形態に係る映像解析手段１５０を構成する手段と本発明の第１の実施の形態に係る映像解析手段１５０は同一であるため、それぞれの説明を省略する。
【００６５】
符号化手段２２０には、映像解析手段１５０によって出力された映像情報が入力され、符号化手段２２０は、入力された解析結果情報を符号化し、符号化された映像情報をトランスコーダ１３０に出力するようになっている。また、符号化手段２２０は、映像解析手段１５０と１対に対応するように接続される。
【００６６】
以下、本発明の第２の実施の形態に係る映像検索装置２００の動作について、図５を参照して説明する。なお、映像検索装置２００の動作のうち、本発明の第１の実施の形態に係る映像検索装置１００の動作と同一の部分については、その説明を省略する。
まず、カメラ１１０毎によって撮像され得られた映像情報は、映像解析手段１５０によってそれぞれ解析されてインデックスが付加され、付加された付加映像情報を構成する解析結果情報は、符号化手段２２０によってそれぞれ符号化され、多重化手段１３１によって多重化される。多重映像情報は、多重化手段１３１によって送信手段１３２に出力され、送信手段１３２によって映像受信器２０２に送信される。
【００６７】
次に、映像送信器２０１によって送信された多重映像情報は、受信手段１４１によって受信され、分割手段１４２によって付加映像情報に分割され、分割された付加映像情報は、映像分類手段１６１に出力される。インデックスが付加された付加映像情報は、映像分類手段１６１によって互いに異なるグループに分類され、分類された分類映像情報は、記録手段１６２によって記録される。
【００６８】
以上説明したように、本発明の第２の実施の形態に係る映像検索装置は、複数のカメラから撮像して得られた映像情報を映像解析手段がそれぞれ解析するため、映像情報を解析処理するための負荷分散を行うことができる。
【００６９】
【発明の効果】
以上説明したように、本発明は、解析した映像情報を互いに異なるグループに分類し、分類された分類映像情報をグループ毎に記録するため、記録した映像情報の中から特定の場面が含まれる映像情報を高速に検索して表示することができる映像検索装置を提供するものである。
【図面の簡単な説明】
【図１】本発明の第１の実施の形態に係る映像検索装置のブロック構成図
【図２】映像解析手段のブロック構成図
【図３】映像分類手段のブロック構成図
【図４】データベースの内部の木構造の一例を示す図
【図５】本発明の第２の実施の形態に係る映像検索装置のブロック構成図
【符号の説明】
１０　防犯装置
２０　端末
３０　ネットワーク
１００、２００　映像検索装置
１０１、２０１　映像送信器
１０２、２０２　映像受信器
１１０　カメラ
１２０、２２０　符号化手段
１３０　トランスコーダ
１３１　多重化手段
１３２　送信手段
１４０　データサーバ
１４１　受信手段
１４２　分割手段
１５０　映像解析手段
１５１　復号化手段
１５２　静止映像検出手段
１５３　顔検出手段
１５４　再符号化手段
１６０　分類データベース
１６１　映像分類手段
１６２　記録手段
１６３　検索手段
１６４　顔認証手段
１７０　キーワード情報入力手段
１７１　再生手段
１７２　表示手段
１７３　再生制御情報入力手段
１７４　通知情報入力手段
１８０　通報手段
１９０　ウェブサーバ
４００　木構造
４０１　１番目のカメラのカメラグループ
４０２　Ｎ番目のカメラのカメラグループ
４１１　日時グループ
４２１、４２２、４２３　時刻グループ
４３１　通知グループ
４３２　動き映像グループ
４３３　静止映像グループ
４３４　低フレーム速度映像グループ
４３５　高フレーム速度映像グループ
４４１　警報グループ
４４２　カードパスグループ
４４３　人グループ
４４４　車両グループ
４４５　その他のグループ
４５１　低解像度映像グループ
４５２　高解像度映像グループ
４６１　顔グループ
４７１　関係者グループ
４７２　非関係者グループ
【図１】
2004145564.tif 000004
【図２】
2004145564.tif 000005
【図３】
2004145564.tif 000006
【図４】
2004145564.tif 000007
【図５】
2004145564.tif 000008